(57)【要約】【課題】警報器の周囲を照明する機能を備えつつ、周囲に情報を報知するための発光をより目立ち易い形態で実現することができる警報器を提供する。【解決手段】警報器１は、ケース本体２０と、ケース本体２０内に収容され、警報器１の周囲に情報を報知するために点灯制御される有彩色の３つの発光部４Ｒ，４Ｙ，４Ｇと、ケース本体２０内に収容され、警報器１の周囲を照明するために点灯制御される３つの発光部４Ｗと、ケース本体２０の正面下部に設けられ、これらの発光部４Ｒ，４Ｙ，４Ｇ，４Ｗから照射される光を受けて面発光するレンズ部材２３と、を有している。この場合、レンズ部材２３は、ケース本体２０の幅方向に延在する幅広形状を有し、６つの発光部４Ｒ，４Ｙ，４Ｇ，４Ｗは、レンズ部材２３の背後に配置されている。【選択図】図２
2019053550.tif 000002
【特許請求の範囲】
【請求項１】
監視センサからの信号に基づいて監視領域内に異常な状態が発生していると判断した場合に警報を発する警報器において、
警報器の筐体を構成するケース本体と、
前記ケース本体内に収容され、警報器の周囲に情報を報知するために点灯制御される第１発光部と、
前記ケース本体内に収容され、警報器の周囲を照明するために点灯制御される複数の第２発光部と、
前記ケース本体の正面下部に設けられ、前記第１発光部及び前記複数の第２発光部から照射される光を受けて面発光するレンズ部材と、を有し、
前記レンズ部材は、前記ケース本体の幅方向に延在する幅広形状を有し、
前記第１発光部及び前記複数の第２発光部は、前記レンズ部材の背後に配置されている
警報器。
【請求項２】
前記レンズ部材は、前記ケース本体の幅方向のサイズと同一のサイズに設定されている
請求項１記載の警報器。
【請求項３】
前記複数の第２発光部は、それぞれが前記ケース本体の幅方向に沿って間隔を隔てて配置されている
請求項１又は２記載の警報器。
【請求項４】
前記レンズ部材は、上端側から下端側にかけて前記ケース本体の背面側に向かって傾斜するテーパー形状を有する
請求項１から３のいずれか記載の警報器。
【請求項５】
前記複数の第２発光部は、前記第１発光部よりも上方にそれぞれ配置されている
請求項１から４のいずれか記載の警報器。
【請求項６】
前記レンズ部材の上端は、前記ケース本体の正面下端部に対して重なり合って構成されており、
前記複数の第２発光部は、前記ケース本体の正面下端部と向かい合う位置に配置されている
請求項５記載の警報器。
【請求項７】
前記複数の第２発光部は、前記第１発光部の側方にそれぞれ配置されている
請求項１から４のいずれか記載の警報器。
【請求項８】
前記第１発光部は、それぞれが警報を発するために点灯制御される２つの警報発光部と、警報器の通電状態を表示するために点灯制御される１つの通電発光部とを含み、それぞれが前記ケース本体の幅方向に沿って間隔を隔てて配置されている
請求項１から７のいずれか記載の警報器。
【発明の詳細な説明】
【技術分野】
【０００１】
本発明は、警報器に関する。
【背景技術】
【０００２】
従来より、監視センサからの信号に基づいて監視領域内に異常な状態が発生していると判断した場合に警報を発する警報器が知られている。警報の対象となる異常な状態としては、ガス漏れ、不完全燃焼等の一酸化炭素の高濃度状態、火災などが挙げられる。警報器は、緑色や黄色などに発光する発光部を備えており、この発光部を点灯又は点滅させることにより、警報器の周囲に情報を報知している（例えば特許文献１参照）。周囲に報知する情報は、異常な状態に対する警報であるが、これ以外にも警報器の状態表示（例えば、通電状態、点検動作）などが該当する。また、例えば特許文献２−４には、発光部の視認性の向上を図るための手法が開示されている。
【０００３】
一方、例えば特許文献５には、火災警報器に非常照明を内蔵して、地震検出時に、非常照明を点灯させる内容が開示されている。この火災警報器において、制御回路は、火災検出回路からの検出信号に基づいて火災を検出すると、表示灯回路を制御して、火災を示す報知として発光部（表示灯）の点灯を行う。また、制御回路は、緊急信号検出部から緊急信号が入力されると、表示灯回路を制御して、地震を示す報知として発光部（表示灯）の点灯を行うとともに、非常照明部を制御して、非常照明を点灯させている。
【先行技術文献】
【特許文献】
【０００４】
【特許文献１】特開２０１６−２２４８３３号公報
【特許文献２】特開２００５−１８１７４号公報
【特許文献３】特開２００６−３３８６９３号公報
【特許文献４】特開２０１３−８４０７６号公報
【特許文献５】特開２００５−２９３３０８号公報
【発明の概要】
【発明が解決しようとする課題】
【０００５】
ところで、非常照明には警報器の周囲を照らすだけの明るさが要求されることから、非常照明は明るく光ることとなる。一方、警報時に点灯される発光部は、非常照明と比較して明るさが弱いため、非常照明と比較して目立ち難い傾向にある。また、警報時に点灯される発光部には、有彩色、例えば黄色が用いられることがあり、非常照明と比較して目立ち難い傾向にある。
【０００６】
本発明はかかる事情に鑑みてなされたものであり、その目的は、警報器の周囲を照明する機能を備えつつ、周囲に情報を報知するための発光をより目立ち易い形態で実現することができる警報器を提供することである。
【課題を解決するための手段】
【０００７】
かかる課題を解決するために、本発明は、監視センサからの信号に基づいて監視領域内に異常な状態が発生していると判断した場合に警報を発する警報器において、警報器の筐体を構成するケース本体と、ケース本体内に収容され、警報器の周囲に情報を報知するために点灯制御される第１発光部と、ケース本体内に収容され、警報器の周囲を照明するために点灯制御される複数の第２発光部と、ケース本体の正面下部に設けられ、第１発光部及び複数の第２発光部から照射される光を受けて面発光するレンズ部材と、を有している。この場合、レンズ部材は、ケース本体の幅方向に延在する幅広形状を有し、第１発光部及び複数の第２発光部は、レンズ部材の背後に配置されている。
【０００８】
ここで、本発明において、レンズ部材は、ケース本体の幅方向のサイズと同一のサイズに設定されていることが好ましい。
【０００９】
また、本発明において、複数の第２発光部は、それぞれがケース本体の幅方向に沿って間隔を隔てて配置されていることが好ましい。
【００１０】
また、本発明において、レンズ部材は、上端側から下端側にかけてケース本体の背面側に向かって傾斜するテーパー形状を有することが好ましい。
【００１１】
また、本発明において、複数の第２発光部は、第１発光部よりも上方にそれぞれ配置されていることが好ましい。
【００１２】
この場合、レンズ部材の上端は、ケース本体の正面下端部に対して重なり合って構成されており、複数の第２発光部は、ケース本体の正面下端部と向かい合う位置に配置されていることが好ましい。
【００１３】
また、本発明において、複数の第２発光部は、第１発光部の側方にそれぞれ配置されていてもよい。
【００１４】
さらに、本発明において、第１発光部は、それぞれが警報を発するために点灯制御される２つの警報発光部と、警報器の通電状態を表示するために点灯制御される１つの通電発光部とを含み、それぞれがケース本体の幅方向に沿って間隔を隔てて配置されていることが望ましい。
【発明の効果】
【００１５】
本発明に係る警報器によれば、警報器の周囲を照明する機能を備えつつ、周囲に情報を報知するための発光をより目立ち易い形態で実現することができる。
【図面の簡単な説明】
【００１６】
【図１】本実施形態に係る警報器の構成を模式的に示すブロック図
【図２】本実施形態に係る警報器の構成を模式的に示す正面図
【図３】図２に示す線分ＡＡに沿う警報器の断面図
【図４】本実施形態に係る警報器の変形例に係る構成を説明する説明図
【発明を実施するための形態】
【００１７】
以下、本実施形態に係る警報器１について説明する。この警報器１は、監視センサからの信号に基づいて監視領域内に異常状態が発生していると判断した場合に警報を発するものである。本実施形態の特徴の一つとして、警報器１には、非常時に警報器１の周囲を照明する非常灯としての機能が装備されている。ここで、図１は、本実施形態に係る警報器１の構成を模式的に示すブロック図である。また、図２は、本実施形態に係る警報器１の構成を模式的に示す正面図である。図３は、図２に示す線分ＡＡに沿う警報器１の断面図である。
【００１８】
本実施形態に係る警報器１は、ガス漏れ（異常な状態の一例）や不完全燃焼等の一酸化炭素の高濃度状態（異常な状態の一例）の発生を警報するガス警報器である。この警報器１は、例えば都市ガス向けのガス警報器であり、天井から一定距離（例えば３０ｃｍ）以内かつガスコンロから一定距離（例えば８ｍ）以内の条件を満たす壁面に設置される。また、警報器１は、差込プラグ９を介して外部電源、例えば商用交流電源に接続されており、外部電源から供給された電力により動作する。
【００１９】
警報器１は、ガスセンサ２と、ガスセンサ２からの検出結果が供給されるマイクロコンピュータ（以下「マイコン」という）３と、を備えている。また、警報器１は、複数の発光部４と、スピーカ５と、複数の発光部４を駆動するための発光駆動部６と、スピーカ５を駆動するためのスピーカ駆動部７と、警報器１を操作するためのスイッチ８と、を備えている。
【００２０】
ガスセンサ２は、ガスを検出するセンサ（監視センサの一例）であり、例えば接触燃焼式ガスセンサである。ガスセンサ２は、ＣＯやＣＨ４などの検出対象ガスのガス濃度を検出し、その濃度に応じた検出信号をマイコン３に出力する。なお、ガスセンサ２としては、半導体ガスセンサ等の周知のガスセンサを用いることもできる。
【００２１】
マイコン３は、ＣＰＵ、ＲＯＭ、ＲＡＭ、Ｉ／Ｏインターフェースを主体に構成されている。マイコン３は、これを機能的に捉えた場合、検出処理部３Ａと、警報処理部３Ｂと、点灯処理部３Ｃとを備えている。
【００２２】
検出処理部３Ａには、ガスセンサ２の検出結果が供給されている。検出処理部３Ａは、ガスセンサ２の検出結果からガス漏れ又は一酸化炭素の高濃度異常が発生しているか否かを判断する。
【００２３】
警報処理部３Ｂは、検出処理部３Ａがガス漏れなどの発生を判断した場合に、所定の発光部４を点灯制御したり、スピーカ５を出力制御したりする。具体的には、警報処理部３Ｂは、検出処理部３Ａがガス漏れなどの発生を判断した場合に、発光駆動部６を通じて所定の発光部４を点灯又は点滅させる。これにより、ガス漏れなどについての警報が視覚的に発せられる。また、警報処理部３Ｂは、検出処理部３Ａがガス漏れなどの発生を判断した場合に、スピーカ駆動部７を通じてスピーカ５から所定の警報音又は警報音声を出力させる。これにより、ガス漏れなどについての警報が聴覚的に発せられる。
【００２４】
点灯処理部３Ｃは、非常灯の点灯条件を判断した場合に、発光駆動部６を通じて所定の発光部４を点灯制御する。非常灯の点灯条件は、例えば外部電源からの電力供給が遮断されたことである。また、点灯処理部３Ｃは、外部電源から電力が供給されている場合、警報器１の通電状態を報知するために所定の発光部４を点灯制御する。
【００２５】
複数の発光部４は、電力の供給を受けて可視光を発光するものである。個々の発光部４は、例えばＬＥＤから構成されており、赤色、黄色、緑色及び白色に対応するものが用意されている。赤色に対応する発光部４Ｒ、黄色に対応する発光部４Ｙ、緑色に対応する発光部４Ｇは、それぞれ１つ用意され、白色に対応する発光部４Ｗは、複数、例えば３つ用意されている。
【００２６】
赤色に対応する発光部４Ｒは、主として、ガス漏れが発生していると判断した場合に点灯制御される。黄色に対応する発光部４Ｙは、主として、一酸化炭素の高濃度異常が発生していると判断した場合に点灯制御される。また、緑色に対応する発光部４Ｇは、主として、外部電源から電力が供給されている場合に警報器１の通電状態を報知するために点灯制御される。有彩色に対応する３つの発光部４Ｒ，４Ｙ，４Ｇは、警報器１の周囲に情報を報知するために点灯制御される第１発光部に該当する。とりわけ、赤色及び黄色に対応する２つの発光部４Ｒ，４Ｙは、警報を発するための警報発光部に相当し、緑色に対応する１つの発光部４Ｇは、警報器１の通電状態を表示するための通電発光部に相当する。一方、白色に対応する３つの発光部４Ｗは、非常灯の点灯条件を判断した場合に警報器１の周囲（特に下方）を照明する非常灯として点灯制御される。
【００２７】
さらに、警報器１は、差込プラグ９と、電源部１０と、予備電源部１１と、停電検知部１２とを有している。
【００２８】
差込プラグ９は、外部電源、例えば商用交流電源と、警報器１との電気的な接続を行う。差込プラグ９は、壁面に設置されて外部電源と電気的に接続されたプラグ受けに対して挿抜可能とされている。
【００２９】
電源部１０は、差込プラグ９を介して外部電源に接続される。電源部１０は、外部電源から供給された電力を、警報器１の各部へと供給する。また、電源部１０は、外部電源からの交流電力を直流に変換する機能も備えている。
【００３０】
予備電源部１１は、自己が保有する電力を警報器１の各部へと供給する電源である。予備電源部１１としては、バッテリといった二次電池や、一次電池などを用いることができる。
【００３１】
停電検知部１２は、外部電源からの電力供給が遮断されたことを検知する。外部電源からの電力供給が遮断される状況としては、主として停電が挙げられる。停電検知部１２としては、例えばトランジスタ、フォトカプラー、リレーなどを用いることができる。停電検知部１２は、マイコン３の入力ポートと接続されており、検知結果に応じた状態信号を出力する。マイコン３は、入力ポートの状態変化（Ｈｉｇｈ状態、Ｌｏｗ状態）に応じて、外部電源からの電力供給の遮断の有無を判断することができる。
【００３２】
外部電源からの電力供給がある場合には、警報器１の各部への電力は電源部１０（外部電源）から供給される。一方、外部電源からの電力供給が遮断されると、停電検知部１２により警報器１の電源の切り替えが行われる。この切り替えにより、警報器１の各部への電力は予備電源部１１から供給される。また、外部電源からの電力供給が復活すると、停電検知部１２により警報器１の電源の切り替えが行われる。この切り替えにより、警報器１の各部への電力は電源部１０から供給される。
【００３３】
なお、予備電源部１１が保有する電力は有限であるため、予備電源部１１から電力供給を行う場合には、電力の供給先を制限してもよい。具体的には、後述する非常灯機能を実現するために必要な箇所に電力を限定的に供給し、電力消費の大きなガスセンサ２には電力を供給しないといった如くである。
【００３４】
６つの発光部４Ｒ，４Ｙ，４Ｇ，４Ｗを含む各要素は、回路基板１５上に実装され、ケース本体２０内に収容されている。ケース本体２０は、警報器１の筐体を構成するものであり、壁面への設置時に背面側となる下ケースと、正面側となる上ケースとを嵌め合わせて構成されている。
【００３５】
ケース本体２０の正面２０ａには、スピーカ開口部２１、ガス検知部２２、レンズ部材２３が設けられている。
【００３６】
スピーカ開口部２１は、スピーカ５から出力される音響をケース本体２０の外部へ出力する開口部である。スピーカ開口部２１は、例えばケース本体２０を貫通する複数の小孔で構成されており、ケース本体２０に収容されたスピーカ５の正面位置に設けられている。
【００３７】
ガス検知部２２は、周囲の雰囲気が警報器１の内部（センサ室）に流入するための開口部である。ガス検知部２２は、当該ケース本体２０の内外を貫通する複数のスリットから構成されており、ガスセンサ２を含むようにケース本体２０内に画定された空間であるセンサ室と対応する位置に形成されている。
【００３８】
レンズ部材２３は、６つの発光部４Ｒ，４Ｙ，４Ｇ，４Ｗからの光をケース本体２０（警報器１）の外部へ出力する部位である。ケース本体２０の正面２０ａの下部には、ケース本体２０の一部を所要の形状に切り抜いた開口が形成されており、この開口を塞ぐようにレンズ部材２３が配置されている。このため、ケース本体２０を正面視した際に、ケース本体２０の正面２０ａの下部にレンズ部材２３が視認される。
【００３９】
レンズ部材２３は、合成樹脂などで形成されており、光を拡散して透過させる拡散透過性を備えている。例えば、レンズ部材２３は、乳白色など半透明体から構成されたり、その表面に微細な凹凸形状を付与するシボ加工が施されたり、或いは、これらの両方を用いて構成されている。このため、レンズ部材２３は、回路基板１５に実装されてケース本体２０内に収容された６つの発光部４Ｒ，４Ｙ，４Ｇ，４Ｗから照射される光を受けて面発光する。
【００４０】
レンズ部材２３は、ケース本体２０の幅方向（図２における左右方向）に沿って延在する幅広形状を有している。本実施形態において、レンズ部材２３は、ケース本体２０の幅方向のサイズと同一のサイズに設定されている。このため、レンズ部材２３は、ケース本体２０の正面２０ａのみならず、左右の側面２０ｃ，２０ｄに及んだ構成とされている。
【００４１】
また、レンズ部材２３は、上端側から下端側にかけてケース本体２０の背面２０ｂ側に向かって傾斜するテーパー形状を有している。このため、レンズ部材２３は、ケース本体２０の下面２０ｅにも及んだ構成とされている。
【００４２】
ケース本体２０内において、有彩色に対応する３つの発光部４Ｒ，４Ｙ，４Ｇ、すなわち、情報報知用の３つの発光部４Ｒ，４Ｙ，４Ｇは、それぞれがケース本体２０の幅方向に沿って間隔を隔てて配置されている。そして、３つの発光部４Ｒ，４Ｙ，４Ｇは、ケース本体２０を正面視した際に、レンズ部材２３の背後に配置されている。すなわち、３つの発光部４Ｒ，４Ｙ，４Ｇは、ケース本体２０を正面視した際に、レンズ部材２３の設置範囲内に配置されている。
【００４３】
また、ケース本体２０内において、白色に対応する３つの発光部４Ｗ、すなわち、非常灯用の３つの発光部４Ｗは、それぞれがケース本体２０の幅方向に沿って間隔を隔てて配置されている。また、白色に対応する３つの発光部４Ｗは、有彩色に対応する３つの発光部４Ｒ，４Ｙ，４Ｇの上方に位置づけられている。そして、白色に対応する３つの発光部４Ｗは、ケース本体２０を正面視した際に、レンズ部材２３の背後に配置されている。なお、レンズ部材２３をケース本体２０に組み付ける構造上、レンズ部材２３の上端は、ケース本体２０の正面２０ａの下端部に対して、その背面側に重なり合って構成されている。そのため、白色に対応する３つの発光部４Ｗは、ケース本体２０を正面視した際に、レンズ部材２３の設置範囲内、かつ、ケース本体２０の正面２０ａの下端部と向かい合う位置に配置されている。
【００４４】
以下、本実施形態の特徴の一つである警報器１の動作について説明する。まず、外部電源から電力が供給されている場合、警報器１の通電状態を報知するために、点灯処理部３Ｃは、発光駆動部６を制御して、緑色に対応する発光部４Ｇを点灯する。緑色に対応する発光部４Ｇが点灯すると、この発光部４Ｇから照射される光に応じてレンズ部材２３が緑色に面発光する。このレンズ部材２３の面発光により、外部電源による通電を視覚的に認識することができる。
【００４５】
一方、警報処理部３Ｂは、検出処理部３Ａがガス漏れの発生を判断した場合に、発光駆動部６を通じて、緑色に対応する発光部４Ｇを消灯させるとともに、赤色に対応する発光部４Ｒを点灯又は点滅させる。赤色に対応する発光部４Ｒが点灯又は点滅すると、この発光部４Ｒから照射される光に応じてレンズ部材２３が赤色に面発光する。このレンズ部材２３の面発光により、ガス漏れについて警報を発することができる。
【００４６】
また、警報処理部３Ｂは、検出処理部３Ａが一酸化炭素の高濃度異常の発生を判断した場合に、発光駆動部６を通じて、緑色に対応する発光部４Ｇを消灯させるとともに、黄色に対応する発光部４Ｙを点灯又は点滅させる。黄色に対応する発光部４Ｙが点灯又は点滅すると、この発光部４Ｙから照射される光に応じてレンズ部材２３が黄色に面発光する。このレンズ部材２３の面発光により、一酸化炭素の高濃度異常について警報を発することができる。
【００４７】
これに対して、停電の発生により外部電源からの電力供給が遮断されると、停電検知部１２により電源の切り替えが行われる。この切り替えにより予備電源部１１から警報器１の各部へと電力が供給される。点灯処理部３Ｃは、入力ポートの状態変化を監視することで、外部電源からの電力供給が遮断されたことを判断すると、発光駆動部６を制御して、緑色に対応する発光部４Ｇを消灯させるとともに、白色に対応する３つの発光部４Ｗを点灯させる。これらの発光部４Ｗが点灯すると、これらの発光部４Ｗから照射される光に応じてレンズ部材２３が白色に面発光する。このレンズ部材２３の面発光により、警報器１の周囲を照明することができる。
【００４８】
また、外部電源からの電力供給が復活すると、停電検知部１２により、警報器１の電源が電源部１０（外部電源）へと切り替えられる。点灯処理部３Ｃは、入力ポートの状態変化を監視することで外部電源からの電力供給が復帰したことを判断すると、発光駆動部６を制御して、白色に対応する３つの発光部４Ｗを消灯させるとともに、緑色に対応する発光部４Ｇを点灯させる。緑色に対応する発光部４Ｇが点灯すると、この発光部４Ｇから照射される光に応じてレンズ部材２３が緑色に面発光する。このレンズ部材２３の面発光により、外部電源による通電の再開を視覚的に認識することができる。
【００４９】
このように本実施形態によれば、レンズ部材２３は、ケース本体２０の幅方向に延在する幅広形状に構成されている。この幅広形状のレンズ部材２３の背後には、非常灯の光源である３つの発光部４Ｗが配置されているため、これらの発光部４Ｗによりレンズ部材２３が適切に面発光し、レンズ部材２３を明るく光らせることができる。これにより、警報器１の周囲を明るく照明することができる。また、都市ガス用の警報器１は、天井に近い壁面の高い位置に設置される。このため、レンズ部材２３をケース本体２０の正面下部に配置することで、台所などの室内の下部へと光が導かれ易い傾向となるので、警報器１の周囲、特に下方を明るく照明することができる。これにより、非常灯としての明かりを所望の範囲に適切に導くことができる。
【００５０】
また、本実施形態において、警報器１の周囲に情報を報知する発光部４Ｒ，４Ｙ，４Ｇは、レンズ部材２３の背後に配置されている。したがって、発光部４Ｒ，４Ｙ，４Ｇのいずれかが点灯又は点滅した場合には、幅広形状のレンズ部材２３が発光部４Ｒ，４Ｙ，４Ｇにより照明され、レンズ部材２３が面発光するので、レンズ部材２３を明るく光らせることができる。すなわち、非常灯として面発光する幅広形状のレンズ部材２３が、発光部４Ｒ，４Ｙ，４Ｇによって面発光することで、周囲に対する情報報知が目立ち易い形態で行われる。これにより、ユーザに対してガス漏れなどの発生を早期に注意喚起することができる。
【００５１】
このように本実施形態によれば、レンズ部材２３の設置範囲内に、回路基板１５に搭載される全ての発光部４Ｒ，４Ｙ，４Ｇ，４Ｗが含まれることとなる。これにより、どの発光部４Ｒ，４Ｙ，４Ｇ，４Ｗが点灯した場合であっても、レンズ部材２３を点灯させることができる。その結果、非常灯としての機能を備えつつ、周囲に情報を報知するための発光をより目立ち易い形態で実現することができる。
【００５２】
また、本実施形態において、幅広形状のレンズ部材２３は、ケース本体２０の幅方向のサイズと同一のサイズに設定されている。このため、警報器１の横幅に相当する範囲で面発光を実現することができる。これにより、非常灯としての適切な明かりを備えつつ、周囲に情報を報知するための発光をより目立ち易い形態で実現することができる。また、この構成によれば、レンズ部材２３が、ケース本体２０の左右の側面２０ｃ，２０ｄにも及ぶこととなる。これより、ケース本体２０の左右の側面２０ｃ，２０ｄも発光するため、面発光に関する視認可能な範囲を広げることができる。
【００５３】
もっとも、レンズ部材２３は、ケース本体２０の幅方向に延在する幅広形状であればよく、ケース本体２０の幅方向のサイズよりも小さいサイズでもよい。ただし、レンズ部材２３の背後（設置範囲内）に、回路基板１５に搭載される全ての発光部４Ｒ，４Ｙ，４Ｇ，４Ｗが含まれることが好ましいことから、レンズ部材２３は、６つの発光部４Ｒ，４Ｙ，４Ｇ，４Ｗの設置範囲よりも幅広に延在していることが好ましい。
【００５４】
また、本実施形態において、白色に対応する３つの発光部４Ｗは、それぞれがケース本体２０の幅方向に沿って間隔を隔てて配置されている。これにより、レンズ部材２３の幅広方向に、３つの発光部４Ｗがバランスよく並ぶので、当該レンズ部材２３を適切に面発光させることができる。
【００５５】
また、本実施形態において、レンズ部材２３は、上端側から下端側にかけてケース本体２０の背面側に向かって傾斜するテーパー形状を備えている。この構成によれば、レンズ部材２３が、ケース本体２０の下面２０ｅにも及ぶこととなり、警報器下方からの視認性が向上する。また、レンズ部材２３からの光が下方に向かう傾向となるため、台所などの室内の下部へと光が到達し易くなる。これにより、非常灯としての明かりを所望の範囲に適切に導くことができる。
【００５６】
本実施形態では、非常灯用の３つの発光部４Ｗは、情報報知用の３つの発光部４Ｒ，４Ｙ，４Ｇよりも上方に配置されている。具体的には、非常灯用の３つの発光部４Ｗは、ケース本体２０の正面２０ａの下端部と向かい合う位置に配置されている。この構成によれば、非常灯用の３つの発光部４Ｗが発光した際に、その光の一部はケース本体２０に当たった後にレンズ部材２３へと到達することとなるので、レンズ部材２３が間接的に照明されることとなる。この間接照明の作用により、レンズ部材２３を効果的に面発光させることができる。すなわち、非常灯用の３つの発光部４Ｗは、警報器１の周囲を一様に照明する観点から、発光部４Ｗからの光をケース本体２０で乱反射させることでレンズ部材２３の全体がまんべんなく光るように構成されている。一方、情報報知用の３つの発光部４Ｒ，４Ｙ，４Ｇは、非常灯用の３つの発光部４Ｗよりも下方に位置づけられており、レンズ部材２３において上下方向中間部に位置づけられている。すなわち、３つの発光部４Ｒ，４Ｙ，４Ｇは、情報を目立ち易く報知する観点から、発光部４Ｒ，４Ｙ，４Ｇからの光をレンズ部材２３に直接的に入射させるように構成されている。非常灯用の３つの発光部４Ｗ及び情報報知用の３つの発光部４Ｒ，４Ｙ，４Ｇは、それぞれレンズ部材２３の背後に配置されるものであるが、発光部が担う機能に応じて、そのなかでのレイアウトが適切に設定されているのである。
【００５７】
もっとも、非常灯用の発光部４Ｗは、情報報知用の３つの発光部４Ｒ，４Ｙ，４Ｇの側方（ケース本体の幅方向）にそれぞれ配置してもよい。例えば、図４に示す例では、非常灯用の発光部４Ｗは、隣り合う発光部４Ｒ，４Ｙ，４Ｇの中央にそれぞれ配置されている（全部で２個の発光部４Ｗ）。この構成にあっては、全ての発光部４Ｒ，４Ｙ，４Ｇ，４Ｗがレンズ部材２３の背後に、同一直線上に配置される。
【００５８】
また、本実施形態では、白色に対応する３つの発光部４Ｗを非常灯として利用している。この場合、非常灯の点灯は、外部電源が遮断されたことをトリガーとすることに限らず、スイッチ８の操作やその他の条件をトリガーとしてもよい。
【００５９】
また、白色に対応する３つの発光部４Ｗは、非常灯としての利用に限らず、警報器１の周囲（特に下方）を照明する用途として広く利用することができる。例えば、３つの発光部４Ｗは、常夜灯として利用することができる。
【００６０】
常夜灯機能付きの警報器１において、点灯処理部３Ｃは、警報器１の周囲が暗くなったことを判断した場合に、発光駆動部６を制御して、緑色に対応する発光部４Ｇを消灯させるとともに、白色に対応する３つの発光部４Ｗを点灯させる。これらの発光部４Ｗが点灯すると、これらの発光部４Ｗから照射される光に応じてレンズ部材２３が白色に面発光する。このレンズ部材２３の面発光により、警報器１の周囲（特に下方）を照明することができる。
【００６１】
警報器１の周囲が暗くなったことを判断する手法としては、周囲の明るさを検知する照度センサなどを用いることができる。例えば、照度センサによって検知される明るさレベルが所定の閾値以下となった場合に、警報器１の周囲が暗くなったことを判断するといった如くである。
【００６２】
なお、非常灯の点灯は、警報器１の周囲が暗くなったことを判断したことをトリガーとすることに限らず、スイッチ８の操作やその他の条件をトリガーとしてもよい。また、常夜灯として機能させる場合には、予備電源部１１及び停電検知部１２といった構成は省略することもできる。
【００６３】
以上、本実施形態に係る警報器について説明したが、本発明はこの実施形態に限定されることなく、その発明の範囲において種々の変更が可能であることは言うまでもない。
【００６４】
例えば、警報器は、ガス漏れについて警報する以外にも、火災などの各種の異常状態を警報するものであってもよい。
【符号の説明】
【００６５】
１        警報器
２        ガスセンサ
３        マイコン
３Ａ      検出処理部
３Ｂ      警報処理部
３Ｃ      点灯処理部
４（４Ｒ，４Ｙ，４Ｇ，４Ｗ）        発光部
５        スピーカ
６        発光駆動部
７        スピーカ駆動部
８        スイッチ
９        差込プラグ
１０        電源部
１１        予備電源部
１２        停電検知部
１５        回路基板
２０        ケース本体
２０ａ      正面
２０ｂ      背面
２０ｃ，２０ｄ      側面
２０ｅ      下面
２１        スピーカ開口部
２２        ガス検知部
２３        レンズ部材
【図１】
2019053550.tif 000003
【図２】
2019053550.tif 000004
【図３】
2019053550.tif 000005
【図４】
2019053550.tif 000006